(57)【要約】【課題】複数の内容物（例えば染毛剤Ａ，Ｂ）の螺旋状通路部での混合効率を高め、また、内容物放出操作の利便性を向上させることを目的とする。【解決手段】容器１には染毛剤Ａが、容器２には染毛剤Ｂが収納されている。容器１，２はホルダー３に保持され、当該ホルダーにはカバー体４が取り付けられている。螺旋状通路ユニット５の螺旋状通路部５３ｂ，５３ｃがカバー体４の筒状部４２に入り込み、また、筒状部５２ａ，５２ｂがステム１１，２１に嵌合している。染毛剤Ａの螺旋状通路部５３ｂと染毛剤Ｂの螺旋状通路部５３ｃの境界部分にはそれぞれ欠落域５３ｄ，５３ｅが形成され、各染毛剤はこの欠落域で直上の螺旋状通路部に分流してそこで他方の染毛剤と混合される。操作部６，７は独立しており、この任意の一方を、または双方を押し下げても上記ユニット５が下動し、ステム１１，２１はその作動位置に移動する。【選択図】　　図６
2004075094.tif 000002
【特許請求の範囲】
【請求項１】
個々の容器に分離して収納した各内容物を螺旋状通路を介してそれらの混合状態で外部に放出するための放出機構において、
前記螺旋状通路の隣接する通路部分同士の境界を部分的に欠落させ、
この欠落域を通じて前記螺旋状通路の内容物が隣接の通路部分に分流するようにした、
ことを特徴とする内容物の混合放出機構。
【請求項２】
前記螺旋状通路を、前記内容物のそれぞれに対応する形で複数設けた、
ことを特徴とする請求項１記載の内容物の混合放出機構。
【請求項３】
容器に収納した内容物を外部に放出するための操作機構において、
それぞれが独立して移動する複数の操作部と、
任意の前記操作部の移動により、前記容器を放出モードに設定する動作制御部とを備えた、
ことを特徴とする内容物の放出操作機構。
【請求項４】
前記操作部を、その下方側に指受け部を形成して、その上下方向における断面形状が略Ｌ字状となる態様で、前記容器のカバー体の周面部分に設け、
前記操作部のそれぞれに対応した個々の回動支点を備え、
前記回動支点を中心とした前記動作制御部の回動に基づき前記放出モードが設定される、
ことを特徴とする請求項３記載の内容物の放出操作機構。
【請求項５】
請求項１または２記載の混合放出機構を備え、かつ、放出用ガスおよび内容物を収容したエアゾール式製品。
【請求項６】
請求項３または４記載の放出操作機構を備え、かつ、放出用ガスおよび内容物を収容したエアゾール式製品。
【請求項７】
請求項１または２記載の混合放出機構を備え、かつ、内容物を収容したポンプ式製品。
【請求項８】
請求項３または４記載の放出操作機構を備え、かつ、内容物を収容したポンプ式製品。
【発明の詳細な説明】
【０００１】
【発明の属する技術分野】
本発明は、内容物の混合放出機構、内容物の放出操作機構およびこれらの機構を備えたエアゾール式製品やポンプ式製品に関し、特に個々の容器に分離して収納した各内容物を螺旋状通路を介してそれぞれの混合状態で外部に放出するための放出機構や、容器に収納した内容物を外部に放出するための操作機構に関するものである。
【０００２】
ここで、本発明の混合放出の対象内容物には、液状，ペースト状，ジェル状，発泡性（泡状），粉状などの各種性状のものがある。
【０００３】
本発明が適用される製品としては、染毛剤，育毛剤，化粧品，シェービングフォーム，ヘアスタイリングフォーム，外用薬，液滴状のもの（ビタミンなど），塗料，園芸用剤，殺虫剤，クリーナー，消臭材，ウレタンフォーム，消火器，潤滑剤などの各種用途のものがある。
【０００４】
また、動作形式としては、エアゾール式およびポンプ式の各製品を対象とする。なお、本明細書で用いる「ポンプ式」とは、利用者が、操作部や、容器の一部（周面部分など）などを例えば押圧することにより内容物収納空間の容積が小さくなって、その中の内容物が外部空間に放出される方式を示しており、いわゆる押出式，チューブ式なども含む概念である。
【０００５】
【従来の技術】
従来、別々の容器から出力される内容物のそれぞれを螺旋状経路を通過させ、そこで当該内容物同士を混合（二液混合）してから外部空間に放出するようにしたものがある。これは例えば実開平４−４８１８２号公報で開示されている。
【０００６】
また、二液混合の液体噴出容器の操作部を、当該容器の周面部分に片手操作の態様で設けたものがある。これは例えば特開平１１−３４２９８３号公報で開示されている。
【０００７】
【発明が解決しようとする課題】
このように、従来の、螺旋状経路による内容物混合の手法の場合は、異種の内容物が一体となっていわば静的に通過するにすぎず、当該内容物を十分に混合できないという問題点があった。
【０００８】
また、二液混合容器の周面部分における片手操作部の場合、当該容器から内容物を取り出して使いたい利用者はこの片手操作部の設定箇所（一箇所）を明に意識しなければならず、内容物の放出操作に際しての利便性にかけるという問題点があった。
【０００９】
そこで本発明では、個々の容器から流出してきた内容物が通過する螺旋状経路の一部をいわば欠落させてこの部分から内容物の一部が隣の経路へと分流し、この分流した内容物とそこを元々流れている内容物とがいわば動的に混合するようにして、複数の内容物同士の混合の程度を高めることを目的とする。
【００１０】
また、それぞれが独立して作動する片手操作部を複数設けて、利用者にとっての内容物放出操作の利便性をより向上させることを目的とする。
【００１１】
【課題を解決するための手段】
本発明はこれらの課題を次のようにして解決する。
（１）個々の容器（例えば後述の容器１，２）に分離して収納した各内容物を螺旋状通路（例えば後述の螺旋状通路５３ｂ，５３ｃ）を介してそれらの混合状態で外部に放出するための放出機構において、前記螺旋状通路の隣接する通路部分同士の境界を部分的に欠落させ（例えば後述の欠落域５３ｄ〜５３ｄ″，５３ｅ〜５３ｅ″）、この欠落域を通じて前記螺旋状通路の内容物が隣接の通路部分に分流していくようにする。
（２）上記（１）において、前記螺旋状通路を、前記内容物のそれぞれに対応する形で複数設ける。
（３）容器に収納した内容物を外部に放出するための操作機構において、それぞれが独立して移動する複数の操作部（例えば後述の操作部６，７）と、任意の前記操作部の移動により、前記容器を放出モードに設定する動作制御部（例えば後述のステム押圧用部材８，螺旋状通路ユニット５の蓋部５１および底部５２）とを備える。
（４）上記（３）において、前記操作部を、その下方側に指受け部（例えば後述の指受け部６１，７１）を形成して、その上下方向における断面形状が略Ｌ字状となる態様で、前記容器のカバー体（例えば後述のカバー体４）の周面部分に設け、前記操作部のそれぞれに対応した個々の回動支点（例えば後述の軸部８３，８４）を備え、前記回動支点を中心とした前記動作制御部の回動に基づき前記放出モードが設定されようにする。
【００１２】
本発明によれば、上記（１），（２）のように、個々の容器から流出してきた内容物が通過する螺旋状経路の一部を欠落させてこの部分から内容物の一部が隣の経路へと分流し、この分流した内容物とそこを元々流れている内容物とがいわば動的に混合するようにして、これにより複数の内容物同士の混合の程度を高めている。
【００１３】
また、上記（３），（４）のように、それぞれが独立して作動する片手操作部を複数設けて、これにより利用者にとっての内容物放出操作の利便性をより向上させている。
【００１４】
この場合の片手操作部には、回動式，傾動式，トリガー式（引金式），押下げ式などの各種タイプのものが対象となる。
【００１５】
本発明は、以上の特徴を持つ、内容物の混合放出機構および内容物の放出操作機構を対象とするとともに、この混合放出機構／放出操作機構を備えたエアゾール式製品やポンプ式製品なども対象にしている。
【００１６】
【発明の実施の形態】
図１および図９を用いて、本発明の実施の形態を説明する。
【００１７】
なお、本発明は上述のように各種タイプの内容物放出機構を対象とするが、以下の記載では、単なる説明の便宜上、エアゾール式製品を前提としている。また、上下方向については、容器側を「下」とし、放出部側を「上」とする。
【００１８】
ここで、
図１は、二つの内容物を別々に収納したエアゾール式容器（静止モード）を容器側面の方からみたときの断面を示し、
図２は、図１のエアゾール式容器を容器正面（操作部）の方からみたときの断面を示し、
図３は、図１のエアゾール式容器の操作部およびこれに連結したステム押圧部を示し、
図４は、図１のエアゾール式容器の一方の操作部を押し下げた作動モード（内容物放出モード）を示し、
図５は、図１のエアゾール式容器の二つの操作部をともに押し下げた作動モード（内容物放出モード）を示し、
図６は、図１のエアゾール式容器の作動モードにおける内容物の流れの概要を示し、
図７は、図６の螺旋状通路部における内容物の流れの概要を示し、
図８は、図１および図２のカバー体を容器から外してその中の螺旋状通路ユニットを取り出した状態を示し、
図９は、各種タイプの放出部（櫛状，非櫛状）を取り付けたカバー体を示している。
【００１９】
図示のエアゾール式容器は、後述のように、
・二つの容器１，２
・当該容器を保持するホルダー３
・当該ホルダーに取り付けたカバー体４
・当該カバー体の一部であってホルダー３との係合状態を解除するための可動片部４３
・当該容器のステム１１，２１と嵌合し、かつ下流側の通路部材５３（螺旋状通路部５３ｂ，５３ｃ）が当該カバー体の筒状部４２に入り込んでいる螺旋状通路ユニット５
・当該カバー体の外周面側に設けた操作部６，７
・当該操作部と連動して当該螺旋状通路ユニットの蓋部５１（すなわちステム１１，２１）を押し下げるステム押圧用部材８
・当該カバー体に取り付けた櫛状放出部９／非櫛状放出部（図９参照）
に大別される。
【００２０】
なお、以下の各参照番号において、二桁の数字を付したもの（例えばステム１１）はその１０位の数字が表す構成要素（例えば容器１）の一部であることを示し、また、アルファベットを付したもの（例えば段部４１ａ）はそれを除いた数字が表す構成要素（例えばリブ状部４１）の一部であることを示している。
【００２１】
図１乃至図９において、
１および２は異なる内容物（例えば染毛剤Ａ，Ｂ）を別々に収納した容器，
１１および２１は押し下げ動作にともなっって各容器からそれぞれの内容物を出力するステム，
３はこの二つの容器を締結して保持するとともに後述のカバー体４の取付け用基部として作動するホルダー，
３１は容器固定用の（一部欠落した）環状突状部，
３２は後述の板状摘まみ部５２ｅの位置規制機能を備えた周面部，
３３は後述の可動片部４１を係止するため当該ホルダーの外周面に形成した凸状部，
４は着脱自在な形でホルダー３に取り付けたカバー体，
４１は当該カバー体の内周面に形成したリブ状部，４１ａは後述の操作部６および７の回動中心を確保するため当該リブ状部に形成した段部，
４２は混合通路用の筒状部，４２ａは当該筒状部の内周面に形成した環状の窪み状部，４２ｂは当該窪み状部の下端側の環状突状部，４２ｃは後述の縦リブ５１ｂを保持して蓋部５１の回動を阻止するため当該筒状部に形成した縦溝，
４３は当該カバー体の一部としての可動片部，４３ａはホルダー３の凸状部３３と係止するため当該可動片部に形成した孔部，
４４は当該可動片部の移動域に形成した開口部，
４５は当該カバー体と当該可動片部とを連結しているヒンジ部，
４６は後述の操作部６および７の移動域に形成した開口部，
４７は後述の櫛状放出部９を取り付けるための凹凸状部，
５は取り外し可能な形でステム１１，２１およびカバー体４（筒状部４２）に嵌合した内容物混合用の螺旋状通路ユニット，
５１は上面が略長楕円状の平坦部分で当該ユニットの上側を構成する蓋部，５１ａは当該蓋部の上面中央部分に形成した筒状部，５１ｂは縦溝部４２ｃに対応させて当該蓋部の外周面に形成した縦リブ，５１ｃは当該外周面の上端側に形成した嵌合シール部，５１ｄは当該外周面の中間部分に形成されて窪み状部４２ａの中でスムーズに上下動する環状突状部，
５２は当該蓋部とヒンジ結合している底部，５２ａおよび５２ｂは当該底部の下面側に形成されてステム１１および１２と嵌合する筒状部，５２ｃおよび５２ｄは当該筒状部に続く部分に形成した内容物通過用の孔部，５２ｅは当該底部の下面中央部分に形成した板状摘まみ部，５２ｆは後述の板状仕切り部５３ａを取り外し可能な形で結合させるための凹状部，５２ｇはヒンジ部，
５３は内容物混合用の通路部材，５３ａは板状仕切り部，５３ｂはステム１１に対応した第１の螺旋状通路部，５３ｃはステム１２に対応した第２の螺旋状通路部，５３ｄ〜５３ｄ″および５３ｅ〜５３ｅ″は当該螺旋状通路部それぞれの直上方側の山状部に３箇所形成した欠落域，
５４は蓋部５１，底部５２および板状仕切り部５３ａによって形成される図示左側の（ステム１１に続く）第１の通路空間域
５５は蓋部５１，底部５２および板状仕切り部５３ａによって形成される図示右側の（ステム２１に続く）第２の通路空間域
６および７は個々に独立して移動可能な操作部（図３参照），
６１および７１は指受け部，
６２および７２は後述の開口垂下部８５と係合する係止片，６２ａおよび７２ａは当該係止片に形成した係止用の段部，
６３および７３は当該係止片のいわば基部に相当する薄肉部分，
６４および７４は当該薄肉部分より上側の起立部，
８は螺旋状通路ユニット５の蓋部５１の上面に載置されて操作部６，７と連動する枠状のステム押圧用部材（図３参照），
８１および８２はそれぞれ断面が図示のように逆台形状の作用部，８１ａおよび８２ａはそれぞれ当該作用部における操作部６の方の端部，８１ｂおよび８２ｂはそれぞれ当該作用部における操作部７の方の端部，
８３および８４は上面側の四隅に設けた略太鼓状の軸部，
８５は各操作部の係止片６２，７２（段部６３，７３）をそれぞれ差し込んで係合させるための外側の開口垂下部，
８６は当該係止片の先端側を受け止めるための内側垂下部，
９はカバー体４に着脱自在な形で取り付けた櫛状放出部，９１は内容物通過用の孔部，
をそれぞれ示している。
【００２２】
なお、欠落域を示す５３ｄ′，５３ｄ″，５３ｅ′および５３ｅ″は説明の便宜上、図７のみで用いる。その他の図では５３ｄと５３ｅのみを用いている。
【００２３】
エアゾール式容器は、図１および図２の静止モードでは、周知のごとく、ステム１１および２１は容器内のスプリング（図示省略）の作用により上方向に付勢され、その出力用孔部（図示省略）がステムラバー（図示省略）で塞がれている。容器１，２の各内容物は勿論ステム１１，２１から出力されない。
【００２４】
このとき、
（１）　嵌合作用によりステム１１，２１と一体化している螺旋状通路ユニット５およびその上（当該ユニットの蓋部５１の上）に載置されたステム押圧部８（＝操作部６，７）も、この容器内スプリングの付勢力に基づいて上動し、
（２）　ステム押圧用部材８の軸部８３，８４は、それぞれカバー体４（＝リブ状部４１）の段部４１ａにいわば押し付けられた形で、当該カバー体に確実に支持されている。
【００２５】
図４のように、操作部７のみを押し下げた作動モードでは、
（１１）ステム押圧用部材８は、段部４１ａに支持されたままの軸部８３を中心にして図示時計方向に回動し、
（１２）その作用部８１，８２がそれぞれの端部８１ｂ，８２ｂで螺旋状通路ユニット５の蓋部５１およびこれと一体のステム１１，２１を押し下げる。
【００２６】
このステム１１，２１の押し下げにより、当該ステムの上記出力用孔部と上記ステムラバーとの位置がずれて当該出力用孔部から容器１，２の各内容物が櫛状放出部９の方に移動していく。
【００２７】
図４とは逆に、操作部６のみを押し下げた作動モード（図示省略）では、
（２１）ステム押圧用部材８は、段部４１ａに支持されたままの軸部８４を中心にして図示反時計方向に回動し、
（２２）その作用部８１，８２がそれぞれの端部８１ａ，８２ａで螺旋状通路ユニット５の蓋部５１およびこれと一体のステム１１，２１を押し下げる。
【００２８】
操作部６，７は、それぞれの薄肉部分６３，７３の作用により、押し下げた方の（当該薄肉部分より下側の）内面が、また押し下げてない方の起立部６４，７４の上端部分がそれぞれカバー体４にガイドされる態様で変形する。
【００２９】
図５のように、操作部６，７の双方を押し下げた作動モードでは、
（３１）ステム押圧用部材８は、図４のように回動するのではなく、全体的に下方に移動し、
（３２）その作用部８１，８２がそれぞれの底面部分の略全体で螺旋状通路ユニット５の蓋部５１およびこれと一体のステム１１，２１を押し下げる。
【００３０】
なお、利用者が操作部６，７を押し下げる手法は任意であり、例えば、
・その外面部分を押しながら行なってもよいし、
・その指受け部を押し下げるようにしてもよい。
【００３１】
図６に示すように、作動モードにおける内容物の容器１，２から通路部材５３の螺旋状通路部分５３ｂ，５３ｃに至るまでの通路は、内容物ごとに、
・容器１のステム１１−螺旋状通路ユニット５の孔部５２ｃ−当該ユニットの第１の通路空間域５４
・容器２のステム２１−螺旋状通路ユニット５の孔部５２ｄ−当該ユニットの第２の通路空間域５５
の二経路に分離されている。
【００３２】
これに続く下流側は、通路空間域５４に続く第１の螺旋状通路部５３ｂと、通路空間域５５に続く第２の螺旋状通路部５３ｃとに一応大別される。
【００３３】
図７に示すように、この第１，第２の螺旋状通路部にはそれぞれの直上方側の山状部に３箇所の欠落域５３ｄ，５３ｅが形成されているので、螺旋状通路部５３ｂを流れる内容物Ａ（容器１の内容物）の一部がそのすぐ上側の内容物Ｂ（容器２の内容物）の通路部分に分流し、また、螺旋状通路部５３ｃを流れる内容物Ｂの一部がそのすぐ上側の内容物Ａの通路部分に分流する。
【００３４】
各容器の内容物Ａ，Ｂのそれぞれについて三回の分流とこれに基づくいわば当該内容物同士の重畳作用が順次生じることになり、これら内容物Ａ，Ｂの混合処理がより確実に実行される。
【００３５】
なお、分流回数を何回にするか、すなわち各螺旋状通路部に何個の上記欠落域を形成するかは任意である。
【００３６】
図７から分かるように、内容物Ａ，Ｂの分流・重畳の態様は、
・第１の欠落域５３ｄでのＡの分流によってその後の螺旋状通路部５３ｃの内容物が（Ｂ＋Ａ）となり、
・第２の欠落域５３ｅでのＢの分流によってその後の螺旋状通路部５３ｂの内容物が（Ａ＋Ｂ）となり、
・第３の欠落域５３ｄ′での（Ａ＋Ｂ）の分流によってその後の螺旋状通路部５３ｃの内容物が（Ｂ＋Ａ）＋（Ｂ＋Ａ）となり、
・第４の欠落域５３ｅ′での（Ｂ＋Ａ）の分流によってその後の螺旋状通路部５３ｂの内容物が（Ａ＋Ｂ）＋（Ｂ＋Ａ）となり、
・第５の欠落域５３ｄ″での（Ａ＋Ｂ）＋（Ｂ＋Ａ）の分流によってその後の螺旋状通路部５３ｃの内容物が〔（Ｂ＋Ａ）＋（Ｂ＋Ａ）〕＋〔（Ａ＋Ｂ）＋（Ｂ＋Ａ）〕となり、
・第６の欠落域５３ｅ″での（Ｂ＋Ａ）＋（Ａ＋Ｂ）の分流によってその後の螺旋状通路部５３ｂの内容物が〔（Ａ＋Ｂ）＋（Ｂ＋Ａ）〕＋〔（Ｂ＋Ａ）＋（Ａ＋Ｂ）〕となる。
【００３７】
そして、この第５，第６の欠落域５３ｄ″，５３ｅ″による分流作用後の混合内容物が一体となって櫛状放出部９の孔部９１から外部に放出される（図４，図５参照）。
【００３８】
以上の分流・重畳作用は、容器１，２の各内容物Ａ，Ｂを、上記のものと同様の欠落域を形成した単一・共通の螺旋状通路部に入力する場合にも生じる。
【００３９】
図８に示すように、螺旋状通路ユニット５を容器１，２およびカバー体４から分離して取り外すことができる。これにより、当該ユニットの内容物通路部分の清掃などを簡単に行なえる。
【００４０】
この取り外し作業の手順は次のようになる。
（４１）可動片部４３のヒンジ部４５より上方の部分を内側に押圧して、その孔部４３ａとホルダー３の突状部３３との係合状態を解除する。
（４２）この解除後のカバー体４を持ち上げるなどしてホルダー３から分離する。
（４３）この分離後のカバー体４から螺旋状通路ユニット５をその板状摘まみ部５２ｅを持って引き出す。
【００４１】
さらには、この引き出した螺旋状通路ユニット５の板状摘まみ部５２ｅを引っ張ることにより、ヒンジ部５２ｇで蓋部５１とつながっている底部５２をこれと嵌合状態の当該蓋部から分離できる。
【００４２】
板状摘まみ部５２ｅは内容物の通路部分ではなく内容物も付着していないので、利用者がこれらの作業において手などを汚すことはない。
【００４３】
また、ホルダー３との係合解除後のカバー体４を例えば持ち上げて当該ホルダーから分離する際に、螺旋状通路ユニット５の筒状部５２ａ，５２ｂと容器１，２のステム１１，２１の結合状態が解除されずに、当該ユニットが当該ステムの側に残るようなことは生じない。
【００４４】
その理由は、カバー体４を持ち上げても螺旋状通路ユニット５が当該カバー体４と連動せずステム１１，２１とのそれまでの結合状態を保持しようとする場合、すなわちカバー体４がホルダー３（＝容器１，２）だけでなく螺旋状通路ユニット５に対しても上動する場合には、すぐに当該ユニットの環状突状部５１ｄが当該カバー体（筒状部４２）の環状突状部４２ｂにあたって軽く係止され、その後、当該ユニットはこの係止作用によりカバー体４と連動するからである。
【００４５】
なお、容器１および２を保持したホルダー３にカバー体４，螺旋状通路ユニット５，操作部６，７およびステム押圧用部材８などを組み立てる際の手順は次のようになる。
（５１）ステム押圧用部材８の枠内に螺旋状通路ユニット５の通路部材５３を入れて、当該押圧用部材の作用部８１，８２が当該ユニットの蓋部５１の上面に載置した状態にする。
（５２）この載置後の通路部材５３をカバー体４の筒状部４２に図１，図２の位置まで差し込んで嵌合状態にする。このとき、筒状部４２の縦溝部４２ｃに蓋部５１の縦リブ５１ｂを結合させて、カバー体４と螺旋状通路ユニット５との周回方向（回転方向）の位置決めをおこなう。
（５３）この嵌合後のカバー体４および螺旋状通路ユニット５を容器１，２およびホルダー３のその上方から差し込んで、当該カバー体の孔部４３ａが当該ホルダーの凸状部３３と係合し、当該ユニットの底部５２の筒状部５２ａおよび５２ｂが当該容器のステム１１および２１と嵌合した状態にする。
（５４）この嵌合後の螺旋状通路ユニット５の蓋部５１の上面に載置されているステム押圧用部材８に操作部６，７をカバー体４の開口部４６から差し込んで固定する。
【００４６】
以上の組立作業における（５３）と（５４）の順番を逆にしてもよい。すなわち、操作部６，７をステム押圧用部材８に取り付けてから、カバー体４および螺旋状通路ユニット５を容器１，２およびホルダー３のその上方から差し込んでもよい。
【００４７】
図９に示すように、各種タイプの放出部をカバー体４に着脱自在な形で取り付けることができる。
【００４８】
ここで、
（ａ）は横方向の櫛状放出部を示し、
（ｂ）は上方向の櫛状放出部を示し、
（ｃ）は上方向の非櫛状放出部を示し、
（ｄ）は横方向の非櫛状放出部を示している。
【００４９】
エアゾール式製品やポンプ式製品などの内容物は、金属塩類粉末，無機物粉末や樹脂粉末などを用いる。例えばタルク，カオリン，アルミニウムヒドロキシクロライド（アルミ塩），硫酸バリウム，セルロース，これらの混合物などである。また、紫外線吸収剤，油性原料，界面活性剤，保湿剤，高分子化合物，酸化防止剤，金属イオン封鎖剤なども用いる。
【００５０】
エアゾール式製品の放出用ガスには、ＬＰＧ，ジメチルエーテル，フルオロカーボン，炭酸ガス，窒素ガス，圧縮空気，酸素ガス，希ガス，これらの混合ガスなどを用いる。
【００５１】
【発明の効果】
本発明では、このように、個々の容器から流出してきた内容物が通過する螺旋状経路の一部を欠落させてこの部分から内容物の一部が隣の経路へと分流し、この分流した内容物とそこを元々流れている内容物とがいわば動的に混合するようにしているので、複数の内容物同士の混合の程度を高めることができる。
【００５２】
また、それぞれが独立して作動する片手操作部を複数設けているので、利用者にとっての内容物放出操作の利便性をより向上させることができる。
【図面の簡単な説明】
【図１】本発明の、二つの内容物を別々に収納したエアゾール式容器（静止モード）を容器側面の方からみたときの断面を示す説明図である。
【図２】本発明の、図１のエアゾール式容器を容器正面（操作部）の方からみたときの断面を示す説明図である。
【図３】本発明の、図１のエアゾール式容器の操作部およびこれに連結したステム押圧部を示す説明図である。
【図４】本発明の、図１のエアゾール式容器の一方の操作部のみを押し下げた作動モード（内容物放出モード）を示す説明図である。
【図５】本発明の、図１のエアゾール式容器の二つの操作部をともに押し下げた作動モード（内容物放出モード）を示す説明図である。
【図６】本発明の、図１のエアゾール式容器の作動モードにおける内容物の流れの概要を示す説明図である。
【図７】本発明の、図６の螺旋状通路部における内容物の流れの概要を示す説明図である。
【図８】本発明の、図１および図２のカバー体を容器から外してその中の螺旋状通路ユニットを取り出した状態を示す説明図である。
【図９】本発明の、各種タイプの放出部（櫛状，非櫛状）を取り付けたカバー体を示す説明図である。
【符号の説明】
１：染毛剤Ａを収納した容器
１１：ステム
２：染毛剤Ｂを収納した容器
２１：ステム
３：ホルダー
３１：環状突状部
３２：周面部
３３：凸状部
４：カバー体
４１：リブ状部
４１ａ：段部，
４２：混合通路用の筒状部
４２ａ：環状の窪み状部
４２ｂ：下端側の環状突状部
４２ｃ：縦溝
４３：可動片部
４３ａ：孔部
４４：開口部
４５：ヒンジ部
４６：開口部
４７：凹凸状部
５：内容物混合用の螺旋状通路ユニット
５１：蓋部
５１ａ：筒状部
５１ｂ：縦リブ
５１ｃ：嵌合シール部
５１ｄ：環状突状部
５２：蓋部とヒンジ結合している底部
５２ａ，５２ｂ：筒状部
５２ｃ，５２ｄ：内容物通過用の孔部
５２ｅ：板状摘まみ部
５２ｆ：凹状部
５２ｇ：ヒンジ部
５３：内容物混合用の通路部材
５３ａ：板状仕切り部
５３ｂ：ステム１１に対応した第１の螺旋状通路部
５３ｃ：ステム２１に対応した第２の螺旋状通路部
５３ｄ〜５３ｄ″：欠落域
５３ｅ〜５３ｅ″：欠落域
５４：ステム１１に続く第１の通路空間域
５５：ステム２１に続く第２の通路空間域
６，７：独立して移動可能な操作部
６１，７１：指受け部
６２，７２：係止片
６２ａ，７２ａ：係止用の段部
６３，７３：薄肉部分
６４，７４：起立部
８は：ステム押圧用部材
８１，８２：断面が逆台形状の作用部
８１ａ，８２ａ：操作部６の方の端部
８１ｂ，８２ｂ：操作部７の方の端部
８３，８４：略太鼓状の軸部
８５：外側の開口垂下部
８６：内側垂下部
９：櫛状放出部
９１：内容物通過用の孔部
【図１】
2004075094.tif 000003
【図２】
2004075094.tif 000004
【図３】
2004075094.tif 000005
【図４】
2004075094.tif 000006
【図５】
2004075094.tif 000007
【図６】
2004075094.tif 000008
【図７】
2004075094.tif 000009
【図８】
2004075094.tif 000010
【図９】
2004075094.tif 000011